(57)【特許請求の範囲】
【請求項１】
巻き戻し機構により自動的に巻き上げられる日除けシートをアームを使って家屋等の外壁より張り出させるオーニングにおいて、前記アームの基端部を支えるスライダ部と、前記アームの両端を除く部位に回転自在に連結されるリンクと、前記リンクの他端側を回転自在に取付けると共に前記アームのスライダ部を摺動自在に支持し上下方向にガイドするスライドレールと、このスライドレールに設けられて前記スライダ部の上方スライド端を規定するストッパとを備え、前記アームを前記リンクと前記スライドレールとで吊り下げると共に前記リンクと前記アームとを前記スライドレールを介して前記外壁に取付け、前記アームを倒して前記日除けシートを張り出す際に前記アームの基端部を前記スライドレールに沿って上昇させながら当該アームの先端側を水平方向に突き出させることを特徴とするオーニング。
【請求項２】
前記巻き戻し機構による引っ張り力と前記アーム等の張り出される部材全体との重量のバランスが取られていることを特徴とする請求項１記載のオーニング。
【発明の詳細な説明】
【０００１】
【発明の属する技術分野】
本発明はオーニングに関する。さらに詳述すると、本発明はアームを動かして日除けシートの張り出しと収容を可能とした変形可能なオーニングの構造の改良に関する。
【０００２】
【従来の技術】
家屋のベランダやテラスあるいは店舗入口などにおいては、外壁や屋外に面した窓枠あるいは支柱など（本明細書ではこれらを総称して「外壁」と呼ぶ）から外へ向け張り出されるシート状の日除け（本明細書では「日除けシート」と呼ぶ）を外壁から突出したアームで支持するオーニングが従来から使用されている。
【０００３】
この種のオーニングとしては、例えば図７に示すように、水平方向に屈伸可能な＜形のアーム１０３を左右に配置し、それら一対のアーム１０３の先端の間に掛け渡された前枠１０６に巻取ドラム１０４から引き出された日除けシート１０２の前端縁を取付けることによって、アーム１０３の伸展により日除けシート１０２を張り出し、折り畳むことにより外壁側に引き込むようにしているもの（例えば特開平７−３０５４６７号公報参照）が現在多用されている。このオーニング１０１は、アーム１０３を折り畳むと同時に巻取ドラム１０４で日除けシート１０２を巻き上げるようにしており、使わない時にはアーム１０３を折り畳んで日除けシート１０２を巻取ドラム１０４に巻き取ることにより、風雨や日差しにより日除けシートが劣化したり強風でアームが破損したりするのを防ぐようにしている。尚、アーム１０３や巻取ドラム１０４は、張り出された日除けシート１０２の面と平行な横長のアーム支持枠１０５により支持されて外壁に取り付けられている。即ち、左右一対のアーム１０３と前枠１０６とアーム支持枠１０５並びに日除けシート１０２とで構成されるあたかも１枚の板が外壁に垂直に取り付けられるかの如く取り付けられている。
【０００４】
また、図示していないが、外壁に対し鉛直面内で傾斜可能に取り付けられた左右一対のアームで日除けシートを支持するオーニングもある。このオーニングにおいては、アームを倒すことによってアーム先端と外壁との間に日除けシートを張り出し、アームを起こして再び壁側に寄せることによって収容状態とすることができる。
【０００５】
【発明が解決しようとする課題】
しかしながら、あたかも１枚の板が外壁に垂直に取り付けられるような図７に示す構造のオーニングでは、強風に煽られたときなどにアーム支持枠１０５と外壁との取付部に局所的な負荷がかかることから、外壁には相当の強度が要求される。したがって、オーニングが取付可能な外壁が限られる問題がある。また、オーニング構造そのものも、外壁とほぼ平行な軸回りに屈曲する＜形のアーム１０３を横長のアーム支持枠１０５と前枠１０６とで支持している構造なので、前後方向即ち外壁面に対して接近離反する方向の力に対しては屈曲により過大な外力を受け流すことができるが、突風に煽られたときなどのように壁面に沿った過大な力を受ける場合には曲がることができないので、まともに力を受けて外壁やオーニングそのものが損壊する虞がある。
【０００６】
また、アーム１０３を長く形成して日除けシート１０２の張り出し量を増やそうとすると、日除けシート１０２に沿って横向きに配置されるためモーメント作用方向には狭いアーム支持枠１０５を介して外壁に対し大きなモーメントがかかるため、オーニング１０１の大型化が難しいという問題もある。
【０００７】
また、アームを倒して日除けシートを張り出す構造のオーニングにおいては、図７の屈伸アーム方式のオーニングの場合に比べて外壁に対するアーム取付位置がかなり低くなるため、日除けシートの左右で斜めに飛び出したアームが日除けシートの下の通行や作業の妨げとなることもあり、オーニングの下のスペースの利用に制限を受けることがある。このため、アームの外壁への取付位置を高くすることが望まれるが、取付位置を高くすることはアームの長さを短くすることとなり、オーニングの大型化を妨げるし開閉操作も困難となる問題を有している。また、アームを長くして低い位置に取付けるように設定すれば、オーニングの大型化も可能となるが、アームの存在が日除けシートの下の通行や作業の自由を妨げることとなるし、場合によってはぶつかったりして事故の原因ともなる虞があり好ましくない。
【０００８】
そこで、本発明は、強度が低い外壁、例えば従来の屈伸アーム方式のオーニングを取り付けることができないような外壁への取付が可能となるオーニングを提供することを目的とする。さらに本発明は、日除けシートを大きく張り出す構造に向き、かつ使用時においてアームが邪魔にならないオーニングを提供することを目的とする。
【０００９】
【課題を解決するための手段】
かかる目的を達成するため、請求項１記載の発明は、巻き戻し機構により自動的に巻き上げられる日除けシートをアームを使って家屋等の外壁より張り出させるオーニングにおいて、アームの基端部を支えるスライダ部と、アームの両端を除く部位に回転自在に連結されるリンクと、リンクの他端側を回転自在に取付けると共にアームのスライダ部を摺動自在に支持し上下方向にガイドするスライドレールと、このスライドレールに設けられてスライダ部の上方スライド端を規定するストッパとを備え、アームをリンクとスライドレールとで吊り下げると共にリンクとアームとをスライドレールを介して外壁に取付け、アームを倒して日除けシートを張り出す際にアームの基端部をスライドレールに沿って上昇させながら当該アームの先端側を水平方向に突き出させるようにしている。
【００１０】
したがって、日除けシートを支えるアームはリンクとスライドレールとでトラスを構成して支持され、日除けシートに対して斜交いのように機能して外壁に沿って働く力に対して強度を発揮する一方、アームとリンクとがスライドレールを介して外壁に取付けられることにより、十分に長尺なスライドレールが外壁を補強する部材として機能すると共にオーニング自体の重量あるいは風から受ける力を分散させて外壁に請け負わせるので、外壁に対して局所的な力が作用しない。このため、従来ならばオーニングの取付条件を満たさなかった外壁であっても、オーニングの取付が可能となる。更に、オーニングの支持構造自体にも強度があるので大型化も可能となる。
【００１１】
また、このオーニングでは、アームの基端部をスライドレールに沿って上昇させながら当該アームの先端側を水平方向に突き出させるようにアームを倒して日除けシートを張り出すようにしているので、収納時におけるアームの基端部の位置が相当低い位置となるような長いアームであっても、日除けシートを張り出す時には収納時のアームの基端部の位置よりも相当高い位置にアームが移動し尚かつほぼ水平方向に突き出させられる。したがって、長尺なアームを採用してオーニングを大型化しても、アームの下に広くかつ高い空間が確保され、通行や作業などの邪魔となることがない。しかも、アームを倒すだけで日除けシートを張り出す一方、アームを引き下げスライドレールに沿って起立させるだけで日除けシートを巻き取り収納することができ、オーニングの開閉操作が簡単となる。
【００１２】
また、強風や突風に煽られても、アームの基端のスライダ部がスライドレール内を摺動してアームの傾きを変えることにより風を受け流すことから、スライドレール、アーム、リンクさらには外壁に無理な力がかからない。このことからも、日除けシートを大きく張り出す構造を採ることができる。
【００１３】
また、請求項２記載のように、巻き戻し機構による引っ張り力とアーム等の張り出される部材全体との重量のバランスがとられていることが好ましい。この場合には、軽い操作力でオーニングの開閉動作即ち日除けシートの張り出しや収納を行うことができる。
【００１４】
【発明の実施の形態】
以下、本発明の構成を図面に示す実施の形態の一例に基づいて詳細に説明する。
【００１５】
図１〜図６に本発明のオーニングの一実施形態を示す。この実施形態のオーニング１は、日除けシート２を自動的に巻き上げ可能としている巻き戻し機構６と、この巻き戻し機構６に巻き取られた日除けシート２を引き出すアーム３と、該アーム３を上昇端を決めて昇降自在に支持するスライドレール４と、アーム３をスライドレール４に対して回転自在に吊り下げるリンク５とを備え、アーム３をリンク５とスライドレール４とで吊り下げると共にリンク５とアーム３とをスライドレール４を介して外壁１５に取付けられ、アーム３を倒して日除けシート２を張り出す際にアーム３の基端部をスライドレール４に沿って上昇させながら当該アーム３の先端側を水平方向に突き出させるように構成されている。
【００１６】
ここで、アーム３はその基端部３ａがスライドレール４内に摺動自在でかつ離脱不能に収容されているスライダ部３ｓによって支持され、かつ中程がスライドレール４に回転自在に連結されているリンク５によって吊り下げられることにより、基端部３ａのスライダ部３ｓをスライドさせて持ち上げることによって先端側を水平方向に突き出させるように支持されている。また、アーム３を支持する左右のスライドレール４の間には、日除けシート２を巻き取った巻き戻し機構６が支持されている。そして、これらアーム３及び巻き戻し機構６は、左右に配置されたスライドレール４を介して外壁に取り付けられている。
【００１７】
スライドレール４は、図１及び図２に示すように、縦向きに外壁１５に取り付けられ、アーム３を鉛直方向に昇降可能に支持するように設置されている。このスライドレール４は、図６に示すように、アーム３の基端部３ａに設けられたスライダ部３ｓを内部で滑らせかつ離脱不能に保持するように収容する構造部材例えばチャネル材であり、型鋼やアルミ合金製の押し出し材や引き抜き材などの型材などからなる。このスライドレール４は、アーム３及びリンク５が貫通するための開口部に折り返し部４ａを備え、この折り返し部４ａと対向するレール底部との間でスライダ部３ｓのローラ９を転動可能にかつ脱落しないように支持するように設けられている。また、スライドレール４の全長は、少なくともスライダ部３ｓを日除けシート２が所定位置まで張り出されるのに必要な量だけスライドさせるのに必要な長さとリンク５を取付けるに必要な長さとを合わせた長さを有していれば良いが、それよりも長尺とすること、例えば図２に示すようにスライドレール４の下端が地面や床面等に届く長さとすることがより好ましい。この場合には、オーニング全体の荷重を外壁１５に広く分散させて負担させることができると同時に床面でも荷重の一部を受けて更に分散させることで外壁１５が受ける負担を軽減することが可能となる。尚、スライドレール４としてのチャネル材の使用は、断面係数が大きく剛性に優れるので、外壁の補強とアーム及びリンクの支持を図る上で好ましい。
【００１８】
各スライドレール４の上端には、図２及び図３に示すように、ブラケット７ａがそれぞれ設けられ、その間で巻き戻し機構６の巻き取り軸６ａを回転自在に支持するように設けられている。そして、その回りをカバー７で覆うことによって、巻き取り軸６ａに巻き取られた日除けシート２を日差しや風雨から保護するように設けられている。カバー７は、図２に示すように左右のスライドレール４間に跨って配置され、ブラケット７ａにビス止めなどによって固定されている。
【００１９】
また、スライドレール４にはスライダ部３ｓと当接しこのスライダ部３ｓの上方のスライド端を規定するストッパ８が備えられている。このストッパ８は、例えばスライドレール４の内壁に取り付けられるプレートから成り、スライダ部３ｓのローラ９とのみ当接するように、ローラ９が転動する折り返し部４ａの背後にビス止めなどにより設置され、リンク５がスライドレール４へ収容されるのを妨げることなくアーム基端部３ａのスライドを規制するようにされている。ストッパ８をビス止めなどで固定する場合には、予め定められた位置以外に任意の位置でも固定することができ、アーム３の傾きを変更することができる。
【００２０】
アーム３は日除けシート２を支持し得る強度を有するものであればどのような形状・構造でも良いが、できるだけ軽量でかつ強度に優れる材質や形状であることが好ましいことは言うまでもない。そこで、本実施形態では、断面矩形状のアルミパイプ材を採用し、その基端部３ａにローラ９をシャフト１０回りに回転可能に備えることによってスライダ部３ｓを構成するようにしている。本実施形態の場合、図３などに示すようにアーム３の基端部３ａをスライドレール４に入り込むようにほぼ直角に折り曲げ、この折り曲げ部へ図６に示すようにスライドレール４内に収まるローラ９とシャフト１０とを備えるようにしている。ただし、これはスライダ部３ｓの構造の一例に過ぎない。本実施形態では、アーム３の基端部にローラ９を備えることによってアーム３と一体的にスライダ部３ｓを構成するようにしているが、例えば、アーム３とは別体に形成されたスライダ部（図示省略）をアーム３の基端部３ａにピン結合などで回転自在に連結するようにしてもよい。
【００２１】
また、左右のアーム３はそれぞれの先端部３ｂを前枠１１によって互いに連結され、同期して動作するように設けられている。前枠１１には日除けシート２の先端縁２ａ及び必要に応じて前垂れシートが止め付けられている。
【００２２】
アーム３の中程を吊り下げるリンク５は、その基端部５ａをスライドレール４に回転可能に連結し、先端部５ｂをアーム３に対して回転可能に取り付けている。したがって、スライドレール４との間でアーム３の基端部が上方へ移動する際に、アーム３の上昇を外壁１５から離す方向に導くような回転を与え、アーム３の先端側を外壁１５から水平方向に突き出させるように吊り下げる。このリンク５は、図３に示すように、日除けシート２を収納した際に、アーム３をスライドレール４とほぼ平行に起立させるため、スライドレール内に収まる幅に形成されているが、必ずしもそのような厚みや断面形状、端部形状に限定されることはない。尚、本実施形態ではアーム３にブラケット１２をビス止めや溶接付けなどで固着し、このブラケット１２にリンク５の先端部５ｂを回転可能に取り付けている。
【００２３】
日除けシート２は、特に生地に限定を受けるものではなく、キャンバス地などの一般に使用されているシート材の中から、あるいはそれ以外の新規のシート材の中から適宜選択される。また、日除けシート２はその張り出し側で前枠１１に止め付けられるが、本実施形態のように先端縁２ａより幾分か内側を止め付け、止め付け部分から先を図２等に示すように前枠１１から垂れ下がるフラップとしてもよい。
【００２４】
また、本実施形態ではこの日除けシート２に適度な張力を与えて巻き上げる巻き戻し機構６を設けることにより、アーム３とリンク５を畳むときこの日除けシート２が自動的に巻き取られるとともに、畳んだ後も引き続き日除けシート２が引っ張られてアーム３が倒れないようにしている。巻き戻し機構６の構造は特に限定されないが、例えば本実施形態では、左右のブラケット７ａによって回転可能に支持され日除けシート２が巻き付けられる巻き取り軸６ａと、この巻き取り軸６ａに巻き上げ方向（図３等では時計回り方向）への回転力を付与する図示しないトーションばねとを備えた構造となっている。
【００２５】
以上のような構造のオーニング１によると、オーニングを閉じる場合にはアーム３やリンク５を図３に示すように畳むことができ、しかもリンク５はスライドレール４内に収容されて邪魔にならず、アーム３はスライドレール４の縦溝を覆い隠すように並び立ち簡潔な外観となる。また、アーム３およびリンク５を畳むことに伴い、日除けシート２は巻き戻し機構６により自動的に巻き取られ、巻き取り軸６ａの周囲に密に巻き付いてカバー７からはみ出すことがない（図３）。したがって、本実施形態のオーニング１は不使用時において非常にコンパクトとなる利点がある。
【００２６】
また、オーニング１を開く場合にはアーム３を手で外壁１５から離すように倒せば良い。このとき、アーム３は図４に示すように基端部３ａをスライドレール４に沿って上昇させながら徐々に倒れ、巻き戻し機構６から日除けシート２を引き出す。また、この動作に伴いリンク５はスライドレール４から引き出されて基端部５ａ側の軸５ｃを中心に回動する。そして、アーム３を所定角度まで引き倒すとアーム３のスライダ部３ｓがストッパ８に当接し、その時点で上昇動作が規制されてアーム３が固定される（図５）。
【００２７】
一方、オーニング１を収容するには倒れた状態のアーム３を引き起こすあるいは押し上げるようにすればよく、これによりアーム３は基端部３ａを下方にスライドさせながら軸５ｃを中心にリンク５を回転させて徐々に起き上がり、スライドレール４に並び立つ。また、リンク５はこの動作に伴い軸５ｃを中心に外壁１５側に回動し、スライドレール４内に収容される。このとき、日除けシート２は巻き戻し機構６によって自動的に巻き戻され、巻き取り軸６ａに巻き付く。
【００２８】
ここで、オーニング１を使用状態（あるいは収容状態）で固定するために例えばアーム３の動作を止めるフックなどの係止手段を設けてもよいが、本実施形態のオーニング１のようにアーム３の先端から支持支点３ｃまでの長さを支持支点３ｃからスライダ部３ｓまでの長さよりも十分長くした場合、手前側に倒れたアーム３の重量バランスによってオーニング１をこのような使用状態に維持することが可能である。したがって、このように重量バランスを調整している場合は係止手段を特に必要としない。使用状態時においてアーム５が勝手に閉じないような位置に配置される基端部３ａは、好ましくはなるべく高く配置されることによってオーニング全体の重量バランスをとりやすくする。アーム３の横幅が小さいような場合には、アーム先端部３ｂ側にウェイトを設けて重量バランスを調整してもよい。また、本実施形態に示したように、日除けシート２とアーム３とで使用状態時に二等辺三角形を構成するようにすれば重量バランスがとりやすいが特にこれには限らない。オーニング設置に当たってはまずスライドレール４を外壁の所定位置に配置し、その後アーム３やリンク５などを取り付ければよいから設置作業が簡単になる。
【００２９】
なお、上述の実施形態は本発明の好適な実施の一例ではあるがこれに限定されるものではなく本発明の要旨を逸脱しない範囲において種々変形実施可能である。例えば、本実施形態では折り返し部４ａを有するチャネル状のスライドレール４を採用しているがこれに特に限定されるものではなく、スライダ部３ｓを離脱不能でかつ上下方向に摺動可能に支持し得るもので、更に外壁に対する当接面積が大きな形状であればどのような形状でも構わない。例えば⊥型の山形構造材を採用し、外壁１５から突き出た辺に外壁１５に沿ったスライダ用の長孔を設け、該長孔を貫通する摺動ピン（好ましくは回転ローラのようなものを備える）をアームの基端部に貫通させてスライダを構成するようにしても良い。また、ストッパ８の代わりに、場合によってはスライドレール４自体の幅を部分的に狭める等の方法でローラ９の通過を妨げる箇所を設定することにより、実質的にスライダ部３ｓの上昇端を定めるようにしても良い。
【００３０】
また、本実施形態ではスライドレール４を２本備えたオーニング１について説明したが、これも好適な一例に過ぎず、構造物の本数を適宜増やして構わない。例えば、幅広の日除けシートを採用する場合などには、両端以外に中央にもアームとスライドレールとを配置し、３組以上のアーム３とスライドレール４で支持するようにしてもよい。
【００３１】
また、アームの先端の前枠の代わりに自動巻き取り機構の巻き取りローラを備えて一対のアームを連結し、アームの先端に日除けシートを巻き取り外壁側に日除けシートの一端が取り付けられるようにしても良い。この場合には、アームが倒れて日除けシートが張り出された状態では、日除けシートが引き出されているのでアーム先端にかかる日除けシート重量は少なく、アームを引き起こすための力も大きくは必要としない。
【００３２】
【発明の効果】
以上の説明より明らかなように、請求項１記載のオーニングによると、オーニング自体の重量及び風に煽られたときに外壁にかかる力がスライドレールによって分散され、外壁へ局所的な力として作用しないことから、従来ならオーニングの取付条件を満たさなかった外壁であっても取付が可能となるし、オーニングそのものを大型化した場合の重量にも耐え得る。しかも、スライドレール自体が強度のある構造物として機能することからオーニング自体の強度が向上し、寿命が延びると共に外壁を補強することができる。
【００３３】
しかも、日除けシートを張り出す時には収納時のアームの基端部の位置よりも相当高い位置にアームが移動し尚かつほぼ水平方向に突き出させられるので、収納時におけるアームの基端部の位置が相当低い位置となるような長いアームであっても、アームの下に広くかつ高い空間が確保され、通行や作業などの邪魔となることがない。この点からも、長尺なアームを採用してオーニングを大型化することが可能である。また、アームが上へスライドしながらほぼ水平に突き出ることによって日除けシートとアームとを高い位置で張り出すことができるので、覆い被さるような圧迫感や鬱陶しさが少なく開放的なオーニングとなる。加えて、オーニング設置の自由度が大きく、店舗入口等の形態に合わせやすい。更に、アームを倒すだけで日除けシートを張り出す一方、アームを引き下げスライドレールに沿って起立させるだけで日除けシートを巻き取り収納することができ、オーニングの開閉操作が簡単である。
【００３４】
また、アーム基端部をスライドさせる構造とスライドレールで壁面への負荷を分散させる構造により、従来よりも長尺のアームを採用することが可能となることに加え、風に煽られてもトラス構造で支持されているアームによって強固に支持されると共にアーム基端部を滑動させて上方に受け流すこともできることから、スライドレール、アーム、リンク、さらには外壁に無理な力がかからない。したがって、日除けシートを大きく張り出す構造即ちオーニングの大型化を図ることができる。
【００３５】
請求項２記載のオーニングによると、巻き戻し機構による引っ張り力とオーニング全体（主にアーム）との重量バランスがとられていることから、軽い操作力でオーニングの開閉動作を行うことができる。
【図面の簡単な説明】
【図１】本発明のオーニングの一実施形態を示す全体の概略斜視図である。
【図２】オーニングの正面図である。
【図３】収容状態のオーニングを示す側面図である。
【図４】収容状態から使用状態へのオーニングの変形動作を示す側面図である。
【図５】使用状態のオーニングを示す側面図である。
【図６】図３のVI-VI線における断面図である。
【図７】屈伸可能なアームを有する従来のオーニングの構造を示す斜視図である。
【符号の説明】
１  オーニング
２  日除けシート
３  アーム
３ａ  基端部
３ｓ  スライダ部
４  スライドレール
５  リンク
５ａ  基端部
５ｂ  先端部
６  巻き戻し機構
１５  外壁
【図１】
0004088089.tif 000002
【図２】
0004088089.tif 000003
【図３】
0004088089.tif 000004
【図４】
0004088089.tif 000005
【図５】
0004088089.tif 000006
【図６】
0004088089.tif 000007
【図７】
0004088089.tif 000008